(57)【特許請求の範囲】
【請求項１】
固体燃料を燃焼させて発生された熱をボイラに供給し、前記ボイラにドッキングして用いる自動固体燃料バーナであって、
一端から前記固体燃料を導入し、他端から導入された前記固体燃料を供給する燃料移動部（３４）と、
前記燃料移動部の他端から供給された前記固体燃料を燃焼させる燃焼室（３５）と、
前記燃焼室内の下部に位置し、前記燃料移動部の他端から供給された前記固体燃料が安着された状態で燃焼されつつ移動され得る固体燃料安着部（３７）をそれぞれ有する複数の節を有する無限軌道部（３６）と、
前記無限軌道部の前記固体燃料安着部（３７）上で燃焼される燃料に外部空気を供給するブロア（４５）と、
前記燃焼室に連通し、前記燃焼室で発生された熱を前記ボイラに供給するための熱吐出部（３１）と、を備え、
前記燃料移動部（３４）は、内部通路に燃料拡げ手段を備え、前記固体燃料は、前記燃料移動部（３４）の他端から前記固体燃料安着部（３７）に均一に拡がりつつ供給され、前記燃料拡げ手段は、
駆動モータ（２１ａ）と、
ハート状の溝を備え、前記駆動モータ（２１ａ）の回転軸に連結されて回転する暗渠（１２）と、
前記暗渠のハート状の溝内に位置し、前記暗渠の回転運動を左右運動に切り替えるローラ（１４）と、
前記ローラ（１４）の左右運動によって前記固体燃料を前記固体燃料安着部に均一に拡げる燃料拡げ装置（４３）と、
前記ブロア（４５）を介して流入された空気を、前記無限軌道部（３６）上の固体燃料の下部側から上部側に誘導する上昇空気供給部（２４）と、
固体燃料の上部側から下部側に誘導する下降空気供給部（７）と、を含む自動固体燃料バーナ。
【請求項２】
駆動モータの回転力を前記無限軌道部に伝達するスプロケット（２０、２８）と、多数の面を備え、少なくとも一つの前記面が前記無限軌道部（３６）の少なくとも一つの前記節と当接して共に回転し、前記少なくとも一つの節を案内するように前記スプロケット（２０、２８）の一側に形成される回転ガイドローラ（２０ａ、２８ｂ）と、をさらに備える請求項１に記載の自動固体燃料バーナ。
【請求項３】
前記無限軌道部（３６）の前記節が水平方向から下方に方向を切り替える位置の下方に配置され、自由落下する灰を収集する灰収去筒（２７）と、をさらに備える請求項２に記載の自動固体燃料バーナ。
【請求項４】
前記燃焼室（３５）の上方に配置され、前記燃焼室（３５）で発生された熱を輻射する熱輻射部（６）と、
前記熱吐出部（３１）の外郭側に配置され、前記熱吐出部からの熱損失を防ぐための熱保護カバー（３０）と、
前記熱吐出部の高熱による変形を防ぐために、前記熱保護カバー（３０）の外郭に円形に形成した水槽（３８、４６）と、をさらに備える請求項３に記載の自動固体燃料バーナ。
【請求項５】
前記無限軌道部（３６）の各節は、移動方向の後端部側と前端部側が前記無限軌道部（３６）の内側に曲線に形成されるものである請求項１〜４のいずれか一項に記載の自動固体燃料バーナ。
【請求項６】
前記回転ガイドローラは、六角形である請求項２に記載の自動固体燃料バーナ。
【請求項７】
前記無限軌道部（３６）の上側に設置され、前記固体燃料を初期点火する窒化ケイ素を利用した点火部（１７）を含む請求項１〜４のいずれか一項に記載の自動固体燃料バーナ。
【請求項８】
前記熱輻射部（６）は、半円形であり、耐火キャスタブルまたは耐火煉瓦を利用して形成したものである請求項４に記載の自動固体燃料バーナ。
【請求項９】
前記燃焼室（３５）の熱気による前記燃料移動部（３４）の変形が生じることを防止するために、前記燃料移動部（３４）の上・下部側に水槽を形成して循環するようにした請求項１〜４のいずれか一項に記載の自動固体燃料バーナ。
【請求項１０】
前記熱吐出部（３１）は、高温に耐えるように耐火キャスタブルを打設するか、またはセラミック耐火煉瓦を組み立てて形成した請求項８に記載の自動固体燃料バーナ。
【請求項１１】
前記熱輻射部（６）の熱を保護するために保温部（４４）と、前記熱輻射部（６）と前記熱吐出部（３１）を支持して保護するために水槽（３８、４６）と水管（３９）を多数個含む請求項１０に記載の自動固体燃料バーナ。
【請求項１２】
前記燃焼室（３５）の温度を測定する火格子温度センサ（１６）と、前記水槽（３８、４６）と前記水管（３９）の水の温度を測定する水温度センサ（４０）と、前記熱吐出部（３１）における熱吐出温度を測定する熱吐出温度センサ（４２）とを含む感知部（６１）と、
前記感知部（６１）の信号を受けて処理する信号処理部（７０）と、
前記信号処理部（７０）によって変換された信号を受けて前記駆動モータ（２１ａ、２１ｂ）と前記ブロア（４５）を制御する主制御部（８０）と、をさらに含む請求項１１に記載の自動固体燃料バーナ。
【請求項１３】
前記主制御部（８０）によって異常作動の際に作動する警報ブザー（５０）をさらに含む請求項１２に記載の自動固体燃料バーナ。
【発明の詳細な説明】
【技術分野】
【０００１】
本発明は、自動固体燃料バーナに関し、さらに詳しくは、サウナ、ホテル、工場など、各種暖房を要するスチームボイラの固体燃料を自動で燃焼させることができる自動固体燃料バーナに関する。
【背景技術】
【０００２】
一般的に、従来の暖房及び製造過程においてスチームを要する所では、油及びガスを主に用いているが、高燃料費による原価増加のため、低価の燃料を用いるシステムが要求されていた。
【０００３】
このような要求に応じて、固体燃料の中でペレットを利用したバーナが発売されたが、この従来の固体燃料バーナは、火室に一定時間の間隔をあけて連続的に燃料を投入する方式を採用しており、先に投入された燃料の燃焼後に後続して投入される燃料の燃焼が連続的に行わなければならないが、燃料の質が良くない場合は、燃焼がうまく行われず、連続的に投入される燃料の満積現象が発生して火力が弱くなることが茶飯事であり、さらに、火力が消滅することも頻繁に発生する問題点がある。
【０００４】
また、特定の燃料に限定して設計されたバーナは、当該特定の燃料の供給に問題が発生した場合に、発火点が異なり且つ燃焼の性質が異なる固体燃料を用いることができない構造となっているため、当該バーナを用いることができなくなり、それによって、当該バーナが用いられている高費用が投資された設備が運用できない問題点もあった。
【０００５】
また、上述した従来方式の固体燃料バーナは、酸素の供給される穴が開けられている、燃焼が行われる火格子が固定式であるため、供給される固体燃料に問題があって互いに絡まった場合は、酸素の供給が円滑でなく、火力が弱くなるか（すなわち、熱量が減少するか）、または火力が消滅する問題点があった。
【０００６】
また、上述した従来方式の固体燃料バーナは、固定式の火格子であるため、燃焼後の灰が火格子上にそのまま積もっていたり、供給される空気によって飛ばされたりして火格子への酸素の供給を阻む場合は、酸素の供給が円滑でなく、火力が弱くなるか（すなわち、熱量が減少するか）、または火力が消滅する問題点があった。
【０００７】
また、上述した従来方式の固体燃料バーナは、固定され続けている状態で火格子上で燃焼が持続されるため、火格子の変形が発生し易い問題点があった。
【０００８】
また、上述した従来方式の固体燃料バーナは、火室を開けて清掃せざるを得ない構造を持っていることから、再清掃を燃焼する過程で随時に行うことができず、ボイラを中断したまま再清掃をしなければならないため、清掃をした時点から次の清掃までの期間の間に次第に灰が火室に積もり、効率が下がる問題点があった。
【０００９】
また、上述した従来方式の固体燃料バーナは、火格子などの問題が発生しても、ボイラの稼動中には修理が不可能であり、ボイラを停止して修理しなければならない問題点があった。
【発明の概要】
【発明が解決しようとする課題】
【００１０】
従って、本発明は、従来のような問題点に鑑みて創出されたものであって、本発明の一の目的は、固体燃料バーナにおいて、燃料の満積現象を防止することができる自動固体燃料バーナを提供することである。
【００１１】
本発明の他の目的は、特定の燃料にのみ限らず、経済性に応じて燃料の選択を自由にし、燃料環境の変化に適応することができる自動固体燃料バーナを提供することである。
【００１２】
本発明のさらに他の目的は、固定式の火格子であることから発生する、供給される固体燃料の絡まりによる酸素の供給が円滑でなくなる問題点、燃焼後に灰が火格子上にそのまま積もっていたり、供給される空気によって飛ばされたりして火格子への酸素の供給を阻む問題点、火格子の変形の問題点、火室を開けて清掃せざるを得ない問題点、ボイラを停止して修理しなければならない問題点が発生しない自動固体燃料バーナを提供することである。
【課題を解決するための手段】
【００１３】
前記のような本発明の目的を達成するために、
１．固体燃料を燃焼させて発生された熱をボイラに供給し、前記ボイラにドッキングして用いる自動固体燃料バーナであって、
一端から前記固体燃料を導入し、他端から導入された前記固体燃料を供給する燃料移動部と、
前記燃料移動部の他端から供給された前記固体燃料を燃焼させる燃焼室と、
前記燃焼室内の下部に位置し、前記燃料移動部の他端から供給された前記固体燃料が安着された状態で燃焼されつつ移動され得る固体燃料安着部をそれぞれ有する複数の節を有する無限軌道部と、
前記無限軌道部の前記固体燃料安着部上で燃焼される燃料に外部空気を供給するブロアと、
前記燃焼室に連通し、前記燃焼室で発生された熱を前記ボイラに供給するための熱吐出部と、を備え、
前記燃料移動部は、内部通路に燃料拡げ手段を備え、前記固体燃料は、前記燃料移動部の他端から前記固体燃料安着部に均一に拡がりつつ供給される自動固体燃料バーナが供給される。
【００１４】
２．駆動モータの回転力を前記無限軌道部に伝達するスプロケットと、
多数の面を備え、少なくとも一つの前記面が前記無限軌道部の少なくとも一つの前記節と当接して共に回転し、前記少なくとも一つの節を案内するように前記スプロケットの一側に形成される回転ガイドローラとをさらに備える前記１に記載の自動固体燃料バーナが供給される。
【００１５】
３．前記無限軌道部の前記節が水平方向から下方に方向を切り替える位置の下方に配置され、自由落下する灰を収集する灰収去筒とをさらに備える前記２に記載の自動固体燃料バーナがさらに供給される。
【００１６】
４．前記燃焼室の上方に配置され、前記燃焼室で発生された熱を輻射する熱輻射部と、
前記熱吐出部の外郭側に配置され、前記熱吐出部からの熱損失を防ぐための熱保護カバーと、
前記熱吐出部の高熱による変形を防ぐために、前記熱保護カバーの外郭に円形に形成した水槽と、をさらに備える前記３に記載の自動固体燃料バーナがさらに供給される。
【００１７】
５．前記無限軌道部の各節は、移動方向の後端部側と前端部側が前記無限軌道部の内側に曲線に形成されるものである前記１〜４のいずれか一つに記載の自動固体燃料バーナがさらに供給される。
【００１８】
６．前記回転ガイドローラは、六角形である前記２に記載の自動固体燃料バーナがさらに供給される。
【００１９】
７．前記ブロアを介して流入された空気を、前記無限軌道部上の固体燃料の下部側から上部側に誘導する上昇空気供給部と、固体燃料の上部側から下部側に誘導する下降空気供給部とをさらに含む前記１〜４のいずれか一つに記載の自動固体燃料バーナがさらに供給される。
【００２０】
８．前記無限軌道部の上側に設置され、前記固体燃料を初期点火する窒化ケイ素を利用した点火部を含む前記１〜４のいずれか一つに記載の自動固体燃料バーナがさらに供給される。
【００２１】
９．前記熱輻射部は、半円形であり、耐火キャスタブルまたは耐火煉瓦を利用して形成したものである前記４に記載の自動固体燃料バーナがさらに供給される。
【００２２】
１０．前記燃焼室の熱気による前記燃料移動部の変形が生じることを防止するために、前記燃料移動部の上・下部側に水槽を形成して循環するようにした前記１〜４のいずれか一つに記載の自動固体燃料バーナがさらに供給される。
【００２３】
１１．前記燃料拡げ手段は、
駆動モータと、
ハート状の溝を備え、前記駆動モータの回転軸に連結されて回転する暗渠と、
前記暗渠のハート状の溝内に位置し、前記暗渠の回転運動を左右運動に切り替えるローラと、
前記ローラの左右運動によって前記固体燃料を前記固体燃料安着部に均一に拡げる燃料拡げ装置とを含む前記１〜４のいずれか一つに記載の自動固体燃料バーナがさらに供給される。
【００２４】
１２．前記熱吐出部は、高温に耐えるように耐火キャスタブルを打設するか、またはセラミック耐火煉瓦を組み立てて形成した前記９に記載の自動固体燃料バーナがさらに供給される。
【００２５】
１３．前記熱輻射部の熱を保護するために保温部と、前記熱輻射部と前記熱吐出部を支持して保護するために水槽と水管を多数個含む前記１２に記載の自動固体燃料バーナがさらに供給される。
【００２６】
１４．前記燃焼室の温度を測定する火格子温度センサと、前記水槽と前記水管の水の温度を測定する水温度センサと、前記熱吐出部における熱吐出温度を測定する熱吐出温度センサと、を含む感知部と；
前記感知部の信号を受けて処理する信号処理部と；
前記信号処理部によって変換された信号を受けて前記駆動モータと前記ブロアを制御する主制御部とをさらに含む前記１３に記載の自動固体燃料バーナがさらに供給される。
【００２７】
１５．前記主制御部によって異常作動の際に作動する警報ブザーをさらに含む前記１４に記載の自動固体燃料バーナがさらに供給される。
【発明の効果】
【００２８】
本発明の上述した構成によると、特に、本発明は、燃焼室に供給された固体燃料が無限軌道部の複数の節のそれぞれの固体燃料安着部に安着された状態で燃焼されつつ移動され得る構成を有しているため、固体燃料バーナにおいて燃料の満積現象を防止することができる。
【００２９】
また、本発明の上述した構成によると、本発明は、特定の燃料に限られた構成でないため、特定の燃料にのみ限らず、経済性に応じて燃料の選択を自由にすることができ、燃料環境の変化に適応することも可能である。
【００３０】
また、本発明の上述した構成によると、燃焼室に供給された固体燃料が無限軌道部の複数の節のそれぞれの固体燃料安着部に安着された状態で燃焼されつつ移動され得る構成、及び燃料移動部の内部通路に燃料拡げ手段を備える構成などによって、供給される固体燃料の絡まりによる酸素の供給が円滑でなくなる問題点、燃焼後の灰が火格子上にそのまま積もっていたり、供給される空気によって飛ばされたりして火格子への酸素の供給を阻む問題点、火格子の変形の問題点を防止することが可能である。
【００３１】
また、本発明の上述した構成によると、無限軌道部の固体燃料安着部に沿って移動されつつ燃焼された固体燃料のうち、スプロケットに係回する無限軌道部の端に位置した固体燃料は、自由落下して下部側の灰収去筒に落ちて収集される構成であるため、火室（燃焼室）を開放することなく灰収去筒の清掃が可能になり、すなわち、燃焼中にも灰収去筒を外部に取り出して空にし、灰収去筒を再度嵌め込むことが可能になる。
【００３２】
また、本発明の上述した構成によると、無限軌道部が移動して一回りして元の位置に戻る運動が繰り返し行われることから、問題となる部分が下部に戻ってくるときに修理が行える構成であるため、ボイラを停止して修理しなければならない問題点が発生しない。
【図面の簡単な説明】
【００３３】
【図１】本発明の自動固体燃料バーナを示す図。
【図２】図１の本発明の自動固体燃料バーナのＡ−Ａに沿った断面図。
【図３】本発明の自動固体燃料バーナの制御に関するブロック図。
【図４】本発明の自動固体燃料バーナの無限軌道部を説明する図。
【図５】本発明の自動固体燃料バーナの燃料移動部の内部で起こる燃料拡げ作用を説明するための図。
【図６】図５の燃料移動部の上部に連結される構造物についての図。
【発明を実施するための形態】
【００３４】
前記のように構成された本発明の自動固体燃料バーナを、以下のとおり、添付の図面に基づいて具体的に説明する。
【００３５】
図１は、本発明の自動固体燃料バーナを示す図であり、図２は、図１の本発明の自動固体燃料バーナのＡ−Ａに沿った断面図であり、図３は、本発明の自動固体燃料バーナが自動的に制御されることを示すブロック図であり、図４は、本発明の自動固体燃料バーナの無限軌道を示す図であり、図５は、本発明の自動固体燃料バーナの燃料移動部の内部で起こる燃料拡げ作用を説明するための図であり、図６は、図５の燃料移動部の上部に連結される構造物についての図である。
【００３６】
本発明の自動固体燃料バーナは、図１に示されているように、本体部（１）を有し、この本体部（１）の一側面には、固体燃料を内側に流入させて後述する固体燃料安着部（３７）にまんべんなく安着されるようにする燃料移動部（３４）が配置され、本体部（１）の下部側の一側面には、取り出したり嵌め込んだりすることができる灰収去筒（２７）が配置されている。
【００３７】
本体部（１）の中央には、燃焼熱を発生させる燃焼室（３５）が形成され、本体部（１）の燃焼室（３５）の上方には、燃焼室で発生した熱を輻射する熱輻射部（６）が形成されており、本体部（１）の一側面には、燃焼室（３５）と連通して燃焼室で発生した熱をボイラ(図示せず)に供給するための熱吐出部（３１）が形成されている。
【００３８】
本体部（１）の他の一側面には、固体燃料の初期点火のために用いられ、好ましくは窒化ケイ素を利用する点火部（１７）が形成されている。
【００３９】
燃焼室（３５）には、駆動モータ（２１ａ）によって燃料移動部（３４）を介して流入された固体燃料が安着された状態で燃焼されつつ移動される固体燃料安着部（３７）を有する無限軌道部（３６）が形成されている。
【００４０】
無限軌道部（３６）は、節々からなっている固体燃料安着部（３７）の多数個がチェーンで連結されており、内側の両端側には、それを係回させるスプロケット（２０、２８）が形成されている。
【００４１】
駆動モータ（２１ｂ）によって回転するスプロケット（２０、２８）は、図４に示されているように、六角形状に形成されている。
【００４２】
燃焼室（３５）の内部に形成された無限軌道部（３６）の固体燃料安着部（３７）上において燃焼中の固体燃料の燃焼率を高めるために、外部空気を無限軌道部（３６）上において移動中の固体燃料の下部側から上部側に供給する上昇空気供給部（２４）が形成されている。
【００４３】
また、無限軌道部（３６）の固体燃料の上部側から外部の空気を供給する下降空気供給部（７）が形成されている。
【００４４】
上昇空気供給部（２４）及び下降空気供給部（７）の外部空気を円滑に供給するように、本体部（１）の側面から高速且つ多量に外部空気を吹き入れることができる高速ブロア（４５）が形成されている。
【００４５】
燃焼室（３５）の無限軌道部（３６）上に安着された状態で燃焼される固体燃料の燃焼率を高めるために、燃焼室（３５）の上方に半月形の熱輻射部（６）が形成され、熱輻射部（６）の熱損失を防ぐための保温層（４４）、熱輻射部（６）と保温層（４４）の変形と、本体部（１）の変形を防ぐために、水槽（３８、４６）と水管（３９）も形成されている。
【００４６】
水槽（３８、４６）と水管（３９）の水を供給及び排出させることができるように、水流入口（２９）と水流出口（４８）を有するように形成されている。
【００４７】
このように構成された本発明は、図３に示されているように、それぞれの燃焼室（３５）の内部の温度を測定するように形成された火格子温度センサ（１６）、水槽（３８、４６）と水管（３９）の水の温度を感知する水温度センサ（４０）、燃焼室の燃焼熱が吐出される温度を感知する熱吐出温度センサ（４２）、水槽（３８、４６）と水管（３９）に水が満たされていることをチェックする低水位センサ（４１）、本願の自動固体燃料バーナと連結するスチームボイラの熱交換器内のスチーム温度を測定するスチーム温度センサ（５３）に連結された感知部（６１）を備えている。
【００４８】
本発明の自動固体燃料バーナは、全体的な作動は、感知部（６１）で発生された信号を信号処理部（７０）にてアナログ信号をデジタル信号に変換させ、この変換された信号に基づいて、主制御部が駆動モータ（２１ａ、２１ｂ）、高速ブロア（４５）、循環ポンプ（４９）のそれぞれを制御することにより行われる。
また、主制御部（８０）には、バーナの異常作動の際に作動する警報ブザー（５０）がさらに接続されている。
【００４９】
それだけではなく、無限軌道部（３６）の内径側には、固体燃料安着部（３７）が１節ずつ移動されるように、スプロケット（２０、２８）によって回転されるように形成されると同時に、スプロケットの外側に固体燃料安着部（３７）の節と当接しつつ移動されるように、六角形の回転ガイドローラ（２０ａ、２８ｂ）が形成されている。
【００５０】
次に、前記のように構成された本発明の自動固体燃料バーナを、添付の図面を参照して、以下のとおり作動状態を詳細に説明する。
【００５１】
本発明の自動固体燃料バーナは、図１に示されているように、固体燃料を燃料移動部（３４）を介して燃焼室（３５）内側の無限軌道部（３６）に安着されるように供給する。
【００５２】
燃料移動部（３４）によって投入された燃料は、燃料拡げ装置（４３）を通過しつつ固体燃料安着部（３７）にまんべんなく拡がるように安着されつつ供給され、駆動モータ（２１ａ）が稼動する際にのみ燃料移動部（３４）に燃料が投入される。
【００５３】
本体部（１）の燃焼室（３５）の内部側の無限軌道部（３６）上に沿って移動される固体燃料の燃焼状態が見られるように、燃焼室（３５）の側面部には観察口（５）が形成されており、燃焼状態を観察することができる。
【００５４】
無限軌道部（３６）に沿って燃焼室（３５）の内部側中央に移動される固体燃料は、燃焼室（３５）上から中央部側に移動されつつ燃焼される。
【００５５】
無限軌道部（３６）は、燃焼室（３５）の内側の両端側に形成されたスプロケット（２０、２８）によって係回され、スプロケット（２０、２８）は、駆動モータ（２１ｂ）によって回転される。
【００５６】
また、無限軌道部（３６）の回転は、スプロケット（２０、２８）に係回された際に、スプロケット（２０、２８）の外側に形成された六角回転ガイドローラ（２０ａ、２８ｂ）によって案内されつつ回転される。すなわち、六角回転ガイドローラ（２０ａ、２８ｂ）の外周が六角形状をしており、この六角回転ガイドローラ（２０ａ、２８ｂ）の節々によって、無限軌道部（３６）の固体燃料安着部（３７）の節が案内されつつそれに係回される。
【００５７】
一方、スプロケット（２０、２８）とその外側に形成された六角回転ガイドローラ（２０ａ、２８ｂ）の回転の際に、角ばった外周の節部分が固体燃料安着部（３７）の大きさと同一であるため、回転の際に固体燃料安着部（３７）が１節ずつ移動されるようになる。
【００５８】
このような作動によって、無限軌道部（３６）の固体燃料安着部（３７）を伝わって移動される固体燃料は、発火した状態で移動される。すなわち、無限軌道部（３６）に供給される固体燃料は、連続的に燃焼されるように、無限軌道部（３６）上に帯状に列をなして続くように供給されるため、連続的に続く。
【００５９】
無限軌道部（３６）の固体燃料安着部（３７）に沿って移動されつつ燃焼された固体燃料のうち、スプロケット（２０、２８）に係回される無限軌道部（３６）の端に位置した固体燃料は、自由落下して下部側の灰収去筒（２７）に落ちて収集される。すなわち、灰収去筒（２７）は、無限軌道部（３６）の節が水平方向から下方に方向を切り替える位置の下方に配置され、自由落下する灰を収集するようになる。
【００６０】
このように燃焼された固体燃料の灰が集められた灰収去筒（２７）は、燃焼中にも外部に取り出して空にし、再度嵌め込めればよい。
【００６１】
次に、本願の燃焼室（３５）内への空気の供給、及び燃焼室（３５）で発生した熱の吐出について説明する。
【００６２】
高速ブロア（４５）は、空気移動官（４７）に沿って移動されるように連結されており、空気移動官（４７）の端部側を介して外部の空気を上昇空気供給部（２４）に供給し、無限軌道部（３６）上の固体燃料安着部（３７）で燃焼される固体燃料上に空気を吹き入れる。
【００６３】
この際に、外部の空気は、上昇空気供給部（２４）に供給されると同時に、高速ブロア（４５）によって下降空気供給部（７）にも供給され、無限軌道部上の上部側からも固体燃料安着部（３７）で燃焼される固体燃料上に空気を吹き入れる。
【００６４】
このように、上昇空気供給部（２４）及び下降空気供給部（７）によって、無限軌道部（３６）上の固体燃料安着部（３７）上で燃焼される固体燃料に上方及び下方の両方から空気を強く吹き入れることができ、その供給される空気量は、高速ブロア（４５）を制御することにより調節可能であるため、この空気量の調節によって燃焼室内の火力を増減させることができる。
【００６５】
燃焼室（３５）内で無限軌道部（３６）に沿って固体燃料が燃焼されつつ発生した燃焼熱は、自然に上昇し、燃焼室（３５）に連通して本体部（１）の一側面に設置された熱吐出部（３１）を介して吐出され、本願の固体燃料バーナと連結されているスチームボイラに熱が供給される。
【００６６】
次に、燃焼室で発生した燃焼熱の損失防止、及び燃焼熱を利用するための構成について説明する。
【００６７】
燃焼室（３５）内の燃焼熱を高め、熱損失を防ぐために、熱輻射部（６）は、耐火キャスタブルまたは耐火煉瓦を積んで半月形に形成されている。
【００６８】
また、燃焼室（３５）の燃焼熱をスチームボイラに供給する熱吐出部（３１）の外側部全体の断熱のために、耐火キャスタブルから耐熱ケース（３０）が形成されている。
【００６９】
本体部（１）の水槽（３８、４６）と水管（３９）には水温度センサ（４０）があり、水の温度が高くなると、循環ポンプが作動して、暖められた水をスチームボイラの補充水として水流出口（４８）を介して送り、冷たい水を水流入口（２９）を介して水槽（３８、４６）、水管（３９）に供給する。
【００７０】
次に、図３に示されているところを利用して本願の自動固体燃料バーナの制御について説明する。
【００７１】
本願の自動固体燃料バーナは、燃焼室（３５）内の無限軌道部（３６）の固体燃料安着部（３７）上で燃焼される固体燃料の燃焼熱を測定する火格子温度センサ（１６）によって火の点灯乃至消灯の状況を感知し、その感知結果に基づいて、燃料移動部（３４）への燃料の供給、遮断を調節することができる。
【００７２】
また、熱吐出部（３１）の一側に設置された熱吐出温度センサ（４２）によって、熱吐出部（３１）を通過する熱の温度を測定することにより、吐出温度を測定することができる。
【００７３】
本体部（１）の水槽（３８、４６）と水管（３９）には、水が常時満たされるようにチェックすることができる低水位センサ（４１）を設置し、常時適量を維持させるだけでなく、低水位センサ（４１）によって、水槽（３８、４６）、水管（３９）に水が不足していると、それを感知し、主制御部（８０）でセッティングされた信号値によって警報ブザー（５０）によって警報音を発生させることができる。
【００７４】
一方、本発明による自動固体燃料バーナは、図３に示されているように、主制御部（８０）によってセッティングされた制御値によって自動的に制御される。
本発明は、燃焼室（３５）内の無限軌道部（３６）上で燃焼される固体燃料の温度を火格子温度センサ（１６）、熱吐出温度センサ（４２）によって感知し、それをアナログ信号として信号処理部（７０）に送信する。
【００７５】
信号処理部（７０）に受信されたアナログ信号は、デジタル信号に変換された後に主制御部（８０）に送信されると、主制御部（８０）においては、受信された信号を利用して主制御部（８０）でセッティングされた信号値によって駆動モータ（２１ａ、２１ｂ）を駆動させる。
【００７６】
このように、駆動モータ（２１ａ、２１ｂ）の回転力が制御されつつ移動される固体燃料の量を調節することができると同時に、燃焼される固体燃料も制御が可能である。
【００７７】
また、本願の自動固体燃料バーナと連結するスチームボイラの熱交換器内のスチーム温度を測定するスチーム温度センサ（５３）は、内側のスチーム温度を感知し、感知されたアナログ信号を信号処理部（７０）に送信して、それをデジタル信号に変換させた後、送信された信号によって、主制御部（８０）は高速ブロア（４５）、駆動モータ（２１ａ、２１ｂ）を作動させる。
【００７８】
すなわち、スチーム温度センサ（５３）によって作動する高速ブロア（４５）は、主制御部（８０）でセッティングされた信号値を利用して、好ましい例として、設定温度より５度以上高いときは高速ブロア（４５）を停止させ、設定温度より−１０度以上低いときは高速ブロア（４５）を作動させて固体燃料の燃焼を増加させるように自動制御する。
【００７９】
低水位センサ（４１）、水温度センサ（４０）で感知されたアナログの低水位及び水温度の信号も、信号処理部（７０）に送信される。
【００８０】
低水位センサ（４１）と水温度センサ（４０）で感知された信号は、信号処理部（７０）を経てデジタル信号に変換された後、主制御部（８０）でセッティングされた信号値を利用して、低水位のとき、高温のときに高速ブロア（４５）を強制的に停止させ、駆動モータ（２１ａ、２１ｂ）を強制的に停止させると同時に、警報ブザー（５０）によって警報音を発生させ、本体部（１）の過熱による損傷を保護する。
【００８１】
次に、本発明の自動固体燃料バーナの無限軌道部（３６）の固体燃料安着部（３７）に関して図４を参照して説明する。
【００８２】
無限軌道部（３６）は、節々からなっている固体燃料安着部（３７）の多数個がチェーンで連結されており、内側の両端側には、それを係回させるスプロケット（２０、２８）が形成されている。
【００８３】
駆動モータ（２１ｂ）によって回転するスプロケット（２０、２８）は、図４に示されているように、六角形状に形成されている。
【００８４】
本発明の無限軌道部（３６）の節々からなっている固体燃料安着部（３７）は、図４に示されているように、固体燃料安着部（３７）の後尾側と前端部側は曲線の形態で曲がるように構成されている。
【００８５】
このように構成された固体燃料安着部（３７）の移動する後尾部側と前端部側は、曲線の形態によって固体燃料安着部（３７）の節々の部分が密接に連結されており、曲がるときに連結部品の間で固体燃料が漏れることを防止することができる。
【００８６】
次に、図５と図６を参照して本発明の自動固体燃料バーナの燃料移動部の内部で起こる燃料拡げ作用を説明する。
【００８７】
図５に示されている燃料移動部（３４）は、その上部（３４ａ）に図６のスクリュー（７１）が連結され、図６の燃料排出口（３４ｂ）と図６の上部（３４ａ）とが連結されて燃料移動通路を作る。図６の燃料排出口（３４ｂ）の後面には、逆火防止のために逆火防止ファン（７２）が連結され、燃料移動部（３４）に酸素を供給して燃焼室（３５）で逆火される熱を阻む。
【００８８】
燃料移動部（３４）は、内部通路に燃料拡げ装置（４３）があり、燃料拡げ装置（４３）は、駆動モータ（２１ａ）に付着した回転軸（１８）によって暗渠（１２）が回転運動をし、この暗渠（１２）にハート状の溝があり、ローラ（１４）がハート状の溝に沿って回りつつ回転運動を左右運動に変えて燃料拡げ装置（４３）に伝達し、これによって、燃料拡げ装置（４３）が左右に運動しつつ燃料を固体燃料安着部（３７）にまんべんなく安着されるように拡げる。
【００８９】
一方、燃料移動部（３４）は、逆火が原因となって燃料移動部（３４）が過熱され、それによる燃料移動部（３４）の変形を防ぐために水槽が形成されており、この水槽の水は水入口、水出口（１１、１１ａ）を介して本体部（１）の水槽（３８、４６）と水が循環されるようになっている。
【符号の説明】
【００９０】
１：本体部                             
６：熱輻射部
７：下降空気供給部               
２４：上昇空気供給部
１６：火格子温度センサ
１７：点火部
３１：熱吐出部                          
４２：熱吐出温度センサ
３５：燃焼室                     
２７：灰収去筒
３６：無限軌道部                        
３７：固体燃料安着部
２１ａ、２１ｂ：駆動モータ       
４５：高速ブロア
３４：燃料移動部                        
４３：燃料拡げ装置
３８、４６：水槽                        
３９：水管
４０：水温度センサ               
４１：低水位センサ
６１：感知部                     
７０：信号処理部
８０：主制御部
【図１】
0005632111.tif 000002
【図２】
0005632111.tif 000003
【図３】
0005632111.tif 000004
【図４】
0005632111.tif 000005
【図５】
0005632111.tif 000006
【図６】
0005632111.tif 000007